(57)【特許請求の範囲】
【請求項１】
回動するアーム（２１）を備えた装置本体（２ａ）が戸体（１１）あるいは戸枠（１２）に設けられており、上記アーム（２１）が係合できる一時固定手段（２５）が戸枠（１２）あるいは戸体（１１）に設けられており、戸枠（１２）に対して開閉自在に配位された戸体（１１）を、戸体（１１）が半開状態から、閉鎖状態あるいは全開状態となるまでの間を自動的に移動可能とされた戸体移動装置において、
上記の装置本体（２ａ）には、少なくとも、戸体（１１）の上記自動移動動作が開始する前における半開状態に対応する待機位置（Ｗ）と、戸体（１１）の閉鎖状態あるいは全開状態に対応する停止位置（Ｓ）との間の範囲内において、回動軸（２１ｂ）を中心として回動可能なアーム（２１）と、
上記の待機位置（Ｗ）から停止位置（Ｓ）へアーム（２１）が回動するように、アーム（２１）を付勢するための付勢手段（２３）と、
アーム（２１）が待機位置（Ｗ）から停止位置（Ｓ）へと回動する際において、このアーム（２１）の回動動作を減速させるための緩衝手段（２４）とが設けられ、
上記のアーム（２１）は、上記の装置本体（２ａ）に設けられたアーム本体（２１ａ）と、このアーム本体（２１ａ）の先端に設けられた固定部（２１ｃ）とを備えており、
上記の一時固定手段（２５）はアーム固定溝（２５ｃ）を備えており、
このアーム固定溝（２５ｃ）は、装置本体（２ａ）から遠い側に位置する第１当接部（２５ａ）と、装置本体（２ａ）から近い側に位置する第２当接部（２５ｂ）とを有し、
上記第１当接部（２５ａ）は、戸体（１１）の閉鎖あるいは開放動作に伴い上記アーム（２１）の固定部（２１ｃ）が衝突することにより、アーム（２１）の待機位置（Ｗ）から停止位置（Ｓ）への回動を開始させるための部分であり、
上記第２当接部（２５ｂ）は、上記アーム（２１）の待機位置（Ｗ）から停止位置（Ｓ）への回動の際に、上記付勢手段（２３）に付勢されたアーム（２１）の固定部（２１ｃ）が当接し、これにより装置本体（２ａ）か一時固定手段（２５）のいずれか一方を他方に接近するように移動させるための部分であり、
上記の第１当接部（２５ａ）と第２当接部（２５ｂ）との間には、アーム（２１）の固定部（２１ｃ）を配位可能な空間が形成されており、
戸体（１１）の上記自動移動動作が行われる際においては、一時固定手段（２５）の上記アーム固定溝（２５ｃ）に上記の固定部（２１ｃ）が保持され、その状態で付勢手段（２３）の付勢を受けてアーム（２１）が回動し、これにより戸体（１１）が移動するものであって、
上記の装置本体（２ａ）が戸体（１１）と戸枠（１２）との何れか一方に設けられた状態にて、上記アーム本体（２１ａ）のうちで上記固定部（２１ｃ）の設けられた部分が、当該装置本体（２ａ）の上下方向中央に位置すると共に、上記の装置本体（２ａ）は上下ひっくり返らない状態でもひっくり返った状態でも取り付けることができ、
上記一時固定手段（２５）は、戸体（１１）と戸枠（１２）との何れか他方に対する取付部（２５ｘ）と、この取付部（２５ｘ）に取り付けられる溝部（２５ｙ）とを備え、
上記溝部（２５ｙ）は、上記アーム固定溝２５ｃが形成された部材であり、
上記アーム固定溝（２５ｃ）は上記溝部（２５ｙ）において表裏貫通して設けられており、
上記溝部（２５ｙ）は、上記取付部（２５ｘ）に対して表向き、裏向きのいずれでも取り付けが可能であることを特徴とする戸体移動装置。
【請求項２】
上記装置本体（２ａ）の一つにつき、上記の付勢手段（２３）と緩衝手段（２４）とが一つづつ設けられており、
上記の装置本体（２ａ）が戸体（１１）あるいは戸枠（１２）に設けられた状態にて、上記の付勢手段（２３）と緩衝手段（２４）とのうち一方が上方、他方が下方に位置しており、
上記のアーム（２１）が、上記の付勢手段（２３）と緩衝手段（２４）とに挟まれるように設けられたものであって、
上記アーム本体（２１ａ）の先端に取付部（２１ａ１）が設けられており、
上記の取付部（２１ａ１）に対し、上記の固定部（２１ｃ）が取り付け及び取り外し可能とされたことを特徴とする、請求項１に記載の戸体移動装置。
【発明の詳細な説明】
【技術分野】
【０００１】
本願発明は、戸体を自動的に閉鎖あるいは開放するための戸体移動装置に関するものである。
【背景技術】
【０００２】
戸枠に対して開閉自在に設けられた戸体を、戸体が半開状態から、閉鎖状態あるいは全開状態となるまでの間を自動的に移動可能とされた戸体移動装置としては種々のものが存在している。
【０００３】
例えば、回動するアームを備えた装置本体が戸体あるいは戸枠に設けられており、前記アームの先端が係合できる一時固定手段が戸枠あるいは戸体に設けられたものとして、本願出願人らの特許文献１に係る装置が挙げられる。
【０００４】
この種の戸体移動装置は、最近ではずいぶん普及してきており、建築物の新築当初から設けられることが多い。本願の出願人は、今後は既存の戸体に改造で戸体移動装置を取り付けることが増えると予測している。
【０００５】
しかしながら、既存の戸体移動装置のうち、上記タイプのものは、取り付ける戸体に合わせて専用設計されたものがほとんどであり、例えば、ホームセンターなどの小売店で販売し、一般顧客がそれを購入して自分で既存の戸体に取り付けるということが難しい。
【０００６】
ここで、戸体はヒンジの取り付け位置により、戸枠に対して左開きのものと右開きのもの（勝手違い）がある。従来は上記のように専用設計であったため、適用できる戸体の勝手方向（開き方向）が限定されていた。よって、そのどちらにも対応できる左右兼用の（勝手違い対応の）戸体移動装置を提供すれば、流通コストを削減でき、しかも小売店で一般顧客が迷うことなく購入できるため望ましい。
【先行技術文献】
【特許文献】
【０００７】
【特許文献１】特開２００７−２８５１１７号公報
【発明の概要】
【発明が解決しようとする課題】
【０００８】
上記に鑑み本願発明は、適用できる戸体の勝手方向（開き方向）を左右兼用とした戸体移動装置を提供することを課題とする。
【課題を解決するための手段】
【０００９】
上記課題を解決するために、本願の請求項１に記載の発明は、回動するアーム２１を備えた装置本体２ａが戸体１１あるいは戸枠１２に設けられており、上記アーム２１が係合できる一時固定手段２５が戸枠１２あるいは戸体１１に設けられており、戸枠１２に対して開閉自在に配位された戸体１１を、戸体１１が半開状態から、閉鎖状態あるいは全開状態となるまでの間を自動的に移動可能とされた戸体移動装置において、上記の装置本体２ａには、少なくとも、戸体１１の上記自動移動動作が開始する前における半開状態に対応する待機位置Ｗと、戸体１１の閉鎖状態あるいは全開状態に対応する停止位置Ｓとの間の範囲内において、回動軸２１ｂを中心として回動可能なアーム２１と、上記の待機位置Ｗから停止位置Ｓへアーム２１が回動するように、アーム２１を付勢するための付勢手段２３と、アーム２１が待機位置Ｗから停止位置Ｓへと回動する際において、このアーム２１の回動動作を減速させるための緩衝手段２４とが設けられ、上記のアーム２１は、上記の装置本体２ａに設けられたアーム本体２１ａと、このアーム本体２１ａの先端に設けられた固定部２１ｃとを備えており、上記の一時固定手段２５はアーム固定溝２５ｃを備えており、このアーム固定溝２５ｃは、装置本体２ａから遠い側に位置する第１当接部２５ａと、装置本体２ａから近い側に位置する第２当接部２５ｂとを有し、上記第１当接部２５ａは、戸体１１の閉鎖あるいは開放動作に伴い上記アーム２１の固定部２１ｃが衝突することにより、アーム２１の待機位置Ｗから停止位置Ｓへの回動を開始させるための部分であり、上記第２当接部２５ｂは、上記アーム２１の待機位置Ｗから停止位置Ｓへの回動の際に、上記付勢手段２３に付勢されたアーム２１の固定部２１ｃが当接し、これにより装置本体２ａか一時固定手段２５のいずれか一方を他方に接近するように移動させるための部分であり、上記の第１当接部２５ａと第２当接部２５ｂとの間には、アーム２１の固定部２１ｃを配位可能な空間が形成されており、戸体１１の上記自動移動動作が行われる際においては、一時固定手段２５の上記アーム固定溝２５ｃに上記の固定部２１ｃが保持され、その状態で付勢手段２３の付勢を受けてアーム２１が回動し、これにより戸体１１が移動するものであって、上記の装置本体２ａが戸体１１と戸枠１２との何れか一方に設けられた状態にて、上記アーム本体２１ａのうちで上記固定部２１ｃの設けられた部分が、当該装置本体２ａの上下方向中央に位置すると共に、上記の装置本体２ａは上下ひっくり返らない状態でもひっくり返った状態でも取り付けることができ、上記一時固定手段２５は、戸体１１と戸枠１２との何れか他方に対する取付部２５ｘと、この取付部２５ｘに取り付けられる溝部２５ｙとを備え、上記溝部２５ｙは、上記アーム固定溝２５ｃが形成された部材であり、上記アーム固定溝２５ｃは上記溝部２５ｙにおいて表裏貫通して設けられており、上記溝部２５ｙは、上記取付部２５ｘに対して表向き、裏向きのいずれでも取り付けが可能であることを特徴とする戸体移動装置を提供する。
【００１０】
また、本願の請求項２に記載の発明は、上記装置本体２ａの一つにつき、上記の付勢手段２３と緩衝手段２４とが一つづつ設けられており、上記の装置本体２ａが戸体１１あるいは戸枠１２に設けられた状態にて、上記の付勢手段２３と緩衝手段２４とのうち一方が上方、他方が下方に位置しており、上記のアーム２１が、上記の付勢手段２３と緩衝手段２４とに挟まれるように設けられたものであって、上記アーム本体２１ａの先端に取付部２１ａ１が設けられており、上記の取付部２１ａ１に対し、上記の固定部２１ｃが取り付け及び取り外し可能とされたことを特徴とする、請求項１に記載の戸体移動装置を提供する。
【発明の効果】
【００１１】
本願発明は、適用できる戸体の勝手方向（開き方向）を左右兼用とした戸体移動装置を提供することができるものであって、これにより、流通コストを削減できたものである。そして、小売店でこの戸体移動装置を販売する場合にあっては、一般顧客が迷うことなく購入できるものである。
【図面の簡単な説明】
【００１２】
【図１】（Ａ）は本願発明の一実施例に係る戸体移動装置のうち、装置本体を示す斜視図であり、（Ｂ）は（Ａ）に図示したものと勝手違いの装置本体を示す斜視図である。
【図２】図１に示す装置本体から、外部ケーシングを取り外した状態を示す斜視図である。
【図３】上記装置本体の要部分解斜視図である。
【図４】上記装置本体の、ケーシングを取り去った状態の斜視図である。
【図５】上記戸体移動装置の使用状態の概略を示す斜視図であって、（Ａ）は戸体が開放された状態を示し、（Ｂ）は戸体が閉鎖された状態を示す。
【図６】上記装置本体のアームの動作を示す図であって、（Ａ）はアームの動作前の状態を示し、（Ｂ）はアームの動作後の状態を示す。
【図７】上記戸体移動装置の一時固定手段を示す斜視図であって、（Ａ）は化粧カバー３が取り外された状態を示し、（Ｂ）は一体の状態を示す。
【図８】上記戸体移動装置の動作を示す図であって、自動移動動作を開始する時点の状態を示す。
【図９】上記戸体移動装置の動作を示す図であって、自動移動動作の途中時点の状態を示す。
【図１０】上記戸体移動装置の動作を示す図であって、自動移動動作が終了した時点の状態を示す。
【発明を実施するための形態】
【００１３】
以下、本願発明の一実施例をとりあげて説明する。
まず、図５（Ａ）に示すように、戸枠１２に戸体１１がヒンジ支持された開き戸、つまり、ヒンジを中心として戸体１１が戸枠１２に対して回動可能とされた開き戸であって、この開き戸における戸枠１２に囲まれた内側に配位された戸体１１が、半開状態から閉鎖状態へと自動的に移動するように戸体移動装置が設けられた場合について説明する。ここで「閉鎖状態」とは戸体１１が完全に閉鎖された状態を示し、「全開状態」とは戸体１１が完全に開放された状態を示し、「半開状態」とは戸体１１が開放された状態であって、かつ、戸体移動装置が作動していない状態（ただし、作動開始の瞬間も含む）を示す。図５（Ａ）に示された開き戸は、戸体１１を操作者が図示手前側に引いて開けるものとして、その操作者から見てヒンジが右側に設けられており、この場合の勝手方向（開き方向）は左開きである。
【００１４】
また、以下の説明における方向の表現は、基本的には図１（Ａ）、図３、図４、図５（Ａ）に示した状態での位置関係に基づいている。具体的には、上下方向及び水平方向に関しては、上記各図に示す状態におけるものとする。そして、戸枠１２を基準とした戸体１１寄りの方向を「前方」、その逆の方向を「後方」とする。「側方」とは、水平方向を指し、上下方向の側方は含めない。ただし、上下左右などの表記については、各図の図示方向によって説明する場合もあって、その際にはその旨を特記している。なお本説明における方向の表現は、理解を容易にするためのものであり、この表現を根拠に、本願発明が制限して理解されるべきではない。
【００１５】
本例の戸体移動装置２は、アーム２１、付勢手段２３、ダンパー２４、一時固定手段２５を有する。そのうち、アーム２１、付勢手段２３、ダンパー２４の各々は、図６（Ａ）（Ｂ）に示すようにケーシング２０にまとめて設けられており、これらが装置本体２ａを構成する。本例においては、図５（Ａ）（Ｂ）に示すように、この装置本体２ａが戸枠１２に設けられる。そして、一時固定手段２５は戸体１１に設けられる。なお、本例とは逆に、装置本体２ａが戸体１１に設けられ、一時固定手段２５が戸枠１２に設けられるものとしても良い。
【００１６】
まず、本例における戸体移動装置２の動作を簡単に説明しておく。図１（Ａ）に示すような、アーム２１が装置本体２ａから飛び出た状態（待機位置Ｗの状態（図６（Ａ）参照））で、戸体１１を閉鎖していくと、図８に示すように、アーム２１の固定部２１ｃが一時固定手段２５のアーム固定溝２５ｃに当たる。その後アーム２１が付勢手段２３の付勢を受けて停止位置Ｓへ向かい回動を開始し、これに伴い戸体１１が閉鎖される。以下、各々の構成部材について説明していく。
【００１７】
［ケーシング］
本例におけるケーシング２０は横長であって、縦断面が略四角形の筒状体である。このケーシング２０は図５（Ａ）（Ｂ）に示すように、戸枠１２への取り付け時において水平方向に配位される。
【００１８】
本例におけるケーシング２０は、図２及び図３に示すように、二つの分割部２０１ａ，２０１ｂ及びスペーサー２０１ｃ，２０１ｄにより構成された内部ケーシング２０１と、図１（Ａ）（Ｂ）及び図２に示すように、内部ケーシング２０１の上面を除いて覆うことのできる外部ケーシング２０２とからなっている。
【００１９】
分割部２０１ａ，２０１ｂは、図３に示すように、各々の縦断面が横倒しの「コ」の字状とされた部材であって、前記横倒しの「コ」の字断面のうち開放された側が上下方向に向かい合い、側面が二重に重ねられて各分割部２０１ａ，２０１ｂが組み合わされる。
【００２０】
本例では、装置本体２ａの一つにつき、付勢手段２３と緩衝手段２４とが一つづつ設けられている。そのため、特許文献１に示された構造のようにアームを二つの付勢手段で挟むものと異なり、アーム２１に付勢手段２３からの力が片方から（非対称に）かかることになる。この非対称の力によってケーシング２０にねじれが発生してしまう可能性があるため、上記のように分割部２０１ａ，２０１ｂの対向面同士を二重に重ねることでケーシング２０の強化をはかっている。
【００２１】
ケーシング２０の強化に関しては、本例の手段に限られるものではない。本例では、二重重ねとした部分がケーシング２０の側面（縦面）であるが、上下面（横面）であっても良い。つまり、横長であるケーシング２０の延長方向に対して平行な面のうち少なくとも一つの面が、他の面よりも強化されていれば良い。より望ましくは、ケーシング２０の延長方向に対して平行な、向かい合う一組の面が、他の面よりも強化されていれば良い。また、ケーシング２０に板状や棒状の補強部材を取り付けたり、ケーシング２０にプレス加工などによってリブを加工することで強化しても良い。
【００２２】
内部ケーシング２０１の上面と下面とには、貫通孔２０１ｅが設けられている。本例では各面につき、図１（Ａ）（Ｂ）に記号を付した３箇所に設けられている。この貫通孔２０１ｅにねじが通され、図５（Ａ）（Ｂ）に示すように、戸枠１２に対して装置本体２ａが固定される。
【００２３】
外部ケーシング２０２は、装置本体２ａの外観を良くするために設けられたものである。この外部ケーシング２０２は、図２に示すように、箱状部２０２ａと平板部２０２ｂとが組み合わされたものである。平板部２０２ｂの内面には固定爪２０２ｂ１が４箇所突出しており、この固定爪２０２ｂ１を各々箱状部２０２ａに引掛けることで箱状部２０２ａと平板部２０２ｂとを一体にできる。戸体１１の勝手方向（開き方向）につき、左開きのものと右開きのものとに対応させるため、この箱状部２０２ａに対して、内部ケーシング２０１と平板部２０２ｂを上下ひっくり返して取り付けることができる。
【００２４】
本例において、この外部ケーシング２０２は、内部ケーシング２０１に対しては、ねじなどによる直接の固定はなされていない。上記のように、箱状部２０２ａと平板部２０２ｂとを一体にした際に内部ケーシング２０１が挟み込まれ、内部ケーシング２０１を外部ケーシング２０２が囲むようになっている。そのため、外部ケーシング２０２の外面には取り付け用のねじなどが露出せず、美しい外観とできる。ただし、場合によっては、箱状部２０２ａに、例えば上記内部ケーシング２０１の貫通孔２０１ｅと一致する位置に貫通孔を設けておき、ねじによって内部ケーシング２０１と外部ケーシング２０２とを直接固定するものとしても良い。
【００２５】
なお、外部ケーシング２０２の上面は開口されているが、これは、装置本体２ａを戸枠１２に取り付ける際、内部ケーシング２０１の上面が戸枠１２に当接するからである。そして外部ケーシング２０２の側面には、アーム本体２１ａを突出させるためのスリット２０２ｃが貫通している。このスリット２０２ｃは、箱状部２０２ａと平板部２０２ｂとにわたって設けられている。図２に示すように、このスリット２０２ｃは、箱状部２０２ａには左右両端面に設けられており、平板部２０２ｂには左側（図２では右側に図示）にのみ設けられている。図２は図１（Ａ）の形態に対応しているが、図１（Ｂ）に示すように、戸体１１の勝手方向（開き方向）を別のものに対応させる場合は、平板部２０２ｂを、スリット２０２ｃが右側（図２上では左側）になるように、図２とは上下逆に入れ替えて箱状部２０２ａに取り付ければ良い。つまり、箱状部２０２ａはそのままとし、装置本体２ａにおける内部ケーシング２０１で囲まれた部分及び外部ケーシング２０２の平板部２０２ｂを上下逆に入れ替えることになる。
【００２６】
本例では、図４及び図６（Ａ）（Ｂ）に示すように、ケーシング２０の内部に二つのスペーサー２０１ｃ，２０１ｄが設けられている。このスペーサー２０１ｃ，２０１ｄは本例では樹脂製であり、内部ケーシング２０１における上側内面と下側内面との間に、これら各面に当接して設けられる。このスペーサー２０１ｃ，２０１ｄには、上記内部ケーシング２０１の貫通孔２０１ｅに通されるねじが通るような貫通孔が上下方向に貫通している。このスペーサー２０１ｃ，２０１ｄもケーシング２０の強度の一部を負担するが、特にこのスペーサー２０１ｃ，２０１ｄは、戸枠１２に対して装置本体２ａを固定する際にケーシング２０を貫通するねじの押圧力を確実に受け止める役割を果たすものである。
【００２７】
上記二つのうち一方のスペーサー２０１ｃは、ケーシング２０においてアーム２１の設けられた側に近い端面に設けられている。この一方のスペーサー２０１ｃは、図６（Ｂ）に示すような位置にアーム２１がある場合にアーム本体２１ａと当接するものとされており、アーム２１が停止位置Ｓを超えて回動し過ぎることによってダンパー２４の可動棒２４ａが押し込まれ過ぎてしまい、ダンパー２４に過度の負担がかからないようにできる。また、上記二つのうち他方のスペーサー２０１ｄは、ケーシング２０においてダンパー本体２４ｂの側方に、アーム２１の回動に伴うダンパー２４の動作に干渉しないように設けられている。
【００２８】
［アーム］
アーム２１は、アーム本体２１ａと、このアーム本体２１ａの先端に設けられた固定部２１ｃとを有している。このアーム２１は、図４に示すように、下側の付勢手段２３と上側のダンパー２４とに挟まれるように設けられている。
【００２９】
本例のアーム本体２１ａは平板状体により形成されており、全体として一定の厚みを有している。図３、図４に示すように、基端側には回動軸２１ｂが貫通して設けられてこれを介してケーシング２０に取り付けられており、この回動軸２１ｂを中心に所定範囲内においてアーム本体２１ａが回動可能とされている。そして、図１（Ａ）（Ｂ）に示すように、アーム本体２１ａの先端寄りの部分がケーシング２０から突出している。基端側には回動軸２１ｂと共に、軸状の付勢手段取付部２１ａ２とダンパー取付部２１ａ３が設けられている。
【００３０】
本例では、装置本体２ａ及び一時固定手段２５が「吊り元」に設けられることを想定して設計されているため、戸体１１を自動閉鎖させるための戸枠１２に対する角度に対応した、アーム２１の待機位置Ｗから停止位置Ｓまでの移動距離を、「戸先」に設けられる場合に比べて小さくできる。よって、本例のアーム２１は比較的短い長さとされている。
【００３１】
なお、上記の「吊り元」に設けられる状態とは、装置本体２ａにおけるアーム２１の回動軸２１ｂの位置が、戸体１１の水平方向における中央よりもヒンジに近い位置にある状態を指す。図５（Ａ）（Ｂ）に示す取り付け位置は「吊り元」である。そして、「戸先」に設けられる状態とは、装置本体２ａにおけるアーム２１の回動軸２１ｂが、戸体１１の水平方向における中央よりもヒンジから遠い位置にある状態を指す。
【００３２】
また、本例のアーム本体２１ａは、上下方向においては一定の位置を保ちつつ延びるような形状とされているが、水平方向においては基端側から先端側にかけて湾曲した形状とされている。これは、戸体１１の自動移動動作をさせないようにすることを目的とした場合などにおいて、図６（Ｂ）に示すように、アーム２１を停止位置Ｓを超えた状態とした場合に、アーム２１が直線状に延びる形状であると、固定部２１ｃがスペーサー２０１ｃに干渉してしまい、固定部２１ｃが装置本体２ａから大きく突出した状態となって、戸体１１が閉まり切らなくなってしまう可能性があるためである。よって、固定部２１ｃを装置本体２ａに近づけるために、このような湾曲した形状を採用している。
【００３３】
本例では、アーム２１の回動範囲の一端側寄りの位置が待機位置Ｗ（図６（Ａ）、図８に示した状態）、他端側寄りの位置が停止位置Ｓ（図１０に示した状態）となり、それぞれが戸体１１の半開状態と閉鎖状態とに対応している。アーム２１は、少なくとも上記の範囲内で回動可能とされている。なお、本例とは逆に、戸体１１を全開させるために戸体移動装置を用いる場合は、待機位置Ｗが戸体１１の半開状態に対応し、停止位置Ｓが戸体１１の全開状態に対応することになる。
【００３４】
本例では、図３に示すように、アーム本体２１ａの先端寄りに貫通孔である取付部２１ａ１が設けられている。この取付部２１ａ１に対して、下記の固定部２１ｃが取り付け及び取り外し可能とされている。この取付部２１ａ１は本例のような貫通孔に限られるものではなく、凹部、凸部など、固定部２１ｃの取り付け及び取り外しが可能な形状であれば他の形状であっても良い。
【００３５】
上記の取付部２１ａ１に取り付けられる固定部２１ｃは円筒状のもので、本例では、一時固定手段２５のアーム固定溝２５ｃが、上方を開放させて設けられるため、アーム本体２１ａの下面から突出するように設けられる。なお、一時固定手段２５の形状や戸体１１への取り付け状態によっては、固定部２１ｃがアーム本体２１ａの上面から突出するように設けられたものであっても良い。
【００３６】
図８〜図１０に示すように、この固定部２１ｃが、戸体１１に取り付けられた一時固定手段２５（より具体的には一時固定手段２５におけるアーム固定溝２５ｃ）に保持されることによって、戸体１１を、付勢手段２３の付勢力により引き寄せて自動的に閉鎖することができる。
【００３７】
本例の固定部２１ｃは、図３に示すように、上記の取付部２１ａ１に通される軸部２１ｃ１と、この軸部２１ｃ１に対して回動可能とされたローラー部２１ｃ２、及び前記軸部２１ｃ１と組み合わされて前記ローラー部２１ｃ２を支持する、筒状の支持部２１ｃ３とを有するものである。本例の軸部２１ｃ１としては、固定部２１ｃに対して取り付け及び取り外しを可能とするため、ねじが用いられている。なお、図示は省略しているが、軸部２１ｃ１には雄ねじが、支持部２１ｃ３には雌ねじが設けられている。
【００３８】
このようなローラー部２１ｃ２を有する構成とすることにより、図８〜図１０に示すように、固定部２１ｃが一時固定手段２５のアーム固定溝２５ｃに位置した際において、ローラー部２１ｃ２が一時固定手段２５の第１当接部２５ａや第２当接部２５ｂに対して回動できる。そのため、一時固定手段２５に対して小さな抵抗で固定部２１ｃを移動させることができる。
【００３９】
ここで本例のように、アーム２１のうち少なくとも取付部２１ａ１が、装置本体２ａ（より厳密には、装置本体２ａのうちで内部ケーシング２０１に囲まれた部分）の上下方向中央に位置するようになされている。これにより、図１（Ａ）に示す状態と図１（Ｂ）に示す状態を見比べれば理解できるように、装置本体２ａの戸枠１２に対する取り付け位置（上下方向）を変えることなく、装置本体２ａにおける内部ケーシング２０１で囲まれた部分及び外部ケーシング２０２の平板部２０２ｂを上下ひっくり返すことで、取付部２１ａ１の上下方向の位置を同じ位置にできる。そして、この上下ひっくり返った状態の取付部２１ａ１において固定部２１ｃを上下逆に付け替えれば、左開きの戸体であっても右開きの戸体であっても、同一の装置本体２ａを使用することが可能である。
【００４０】
上記のことから、戸体の勝手方向（開き方向）に合わせた専用形状の装置本体２ａを各々製造する必要がなくなる。よって、汎用性の高い戸体移動装置を提供することができ、製造コスト（金型コスト）、及び、保管コストや運送コストなどの流通コストを削減できる。そして、小売店で戸体移動装置を販売する際においても、勝手方向（開き方向）対応を間違えることにより、取り付けられない装置本体２ａを一般顧客が誤って購入してしまうこともなくなる。また、戸体移動装置の販路拡大をはかることができる。
【００４１】
なお、アーム本体２１ａの形状は本例のものに限定されない。例えば本例のように全体を平板状体としたもの以外に、丸棒状や角棒状のものとしたり、先端だけを平板状に形成したものであっても良い。その他に、戸枠１２あるいは戸体１１に対する取り付け状況や、戸体１１の自動移動動作の範囲設定など、戸体移動装置の設計に応じて種々の形態での実施が可能である。
【００４２】
ここで、図３に示すように、アーム本体２１ａの基端部分の上面にはストッパー部材２２が取り付けられている。このストッパー部材２２には、付勢手段２３の先端部２３ａを引掛けるための軸である付勢手段取付部２１ａ２と回動軸２１ｂとが各々貫通する。このストッパー部材２２は、図８に示すように、その一部である係止溝２２ａが下記のアーム位置保持手段２７における係止部２７ａに引っ掛かることで、アーム２１を待機位置Ｗのまま保持させることができる。
【００４３】
本例では、平板状のアーム２１とブロック状のストッパー部材２２とが別々に形成されているが、このアーム２１を例えば鋳物や硬質樹脂などで製作する場合にあっては、アーム２１とストッパー部材２２とが元から一つの部品として形成されたものであっても良い。
【００４４】
［付勢手段］
付勢手段２３は、アーム２１を回動軸２１ｂを中心として待機位置Ｗから停止位置Ｓへ向かい回動させるように常時付勢するものである。本例における付勢手段２３は、ケーシング２０内に設けられた一本のコイルばねであり、引張力による付勢がアーム２１の基端部分にかかるようにされた、いわゆる「引きばね」である。図４に示すように、この付勢手段２３の先端部２３ａはアーム本体２１ａの基端部分から突出する軸である付勢手段取付部２１ａ２に対して取り付けられており、基端部２３ｂはケーシング２０に支持された軸である兼用取付部２６に取り付けられる。
【００４５】
付勢手段２３としては汎用のばねを用いることができる。つまり、付勢手段２３とダンパー２４とが別個に設けられた構成とできるため、例えば、ダンパーにばねが仕込まれたことにより付勢手段と緩衝手段とを兼ねた、構造が比較的複雑な専用品を用いる必要がない。そして、後述するダンパー２４についても汎用の直動ダンパーを使用できるため、装置本体２ａの構造を簡単にでき、装置の製造コスト低減に貢献できる。ただし本願発明は、上記のような付勢手段と緩衝手段とを兼ねたものを用いることを全く排除するものではなく、例えば装置本体２ａを更に小型化する要求がある場合などには、付勢手段と緩衝手段とを一体化したものを用いても良い。
【００４６】
また、付勢手段２３として、本例では一本のコイルばねが用いられているが、装置本体２ａの形状についての設計条件が許すのであれば、これに限られず、例えば、二本以上のコイルばねを用いたり、回動軸２１ｂに取り付けて用いる渦巻ばねなど、他の種類のばねや、ゴムなどの弾性を有する樹脂を用いても良い。また、付勢手段２３をアーム２１及びケーシング２０に対して取り付ける場所も限定されるものではない。そして、本例とは逆に、いわゆる「押しばね」を用い、ばねの伸びを利用してアーム２１を付勢するものとしても良い。
【００４７】
付勢手段２３の付勢力を調整するための手段を設けても良い。この手段としては、図示はしないが、例えば、付勢手段２３の先端部２３ａの取付箇所からの距離を変更できるように、同基端部２３ｂの取付箇所が可変とされた手段が挙げられる。この手段のより具体的な例としては、複数の分岐溝が枝状に分岐した係止溝をケーシング２０に設けておき、その係止溝に付勢手段２３の基端部２３ｂを支持する可動軸（本例の兼用取付部２６に相当）を配位する。これにより、コイルばね２３の初期長さを変更可能としてアーム２１の移動速度を調整でき、これに応じて戸体１１の閉鎖速度の緩急を調整することができる。また、この例以外にも種々の手段を採用できる。
【００４８】
［ダンパー（緩衝手段）］
ダンパー２４は、付勢手段２３の付勢によりアーム２１が待機位置Ｗから停止位置Ｓへ向かって回動する際に、アーム２１の回動動作を減速させるための緩衝手段として作用する。本例においては、このダンパー２４として直動式のダンパーが用いられている。つまり、可動棒２４ａがダンパー本体２４ｂに対して直線状に出入りする構造とされている。
【００４９】
ダンパー２４の可動棒２４ａの先端はアーム本体２１ａの基端部分におけるダンパー取付部２１ａ３に接続されている。これにより、アーム２１からダンパー２４へと力の伝達がなされる。一方、ダンパー本体２４ｂの基端部分は、軸状の兼用取付部２６で支持されている。つまり本例では、付勢手段２３の基端部分とダンパー２４の基端部分とは同じ軸で支持されている。
【００５０】
なお、上記の付勢手段２３と同様、このダンパー２４についても、緩衝能力をねじなどにより調整可能としておくことで、戸体１１の閉鎖速度を調整可能としても良い。
【００５１】
アーム２１が待機位置Ｗとされた状態で、戸体１１を閉鎖していくと、図８に示すように、アーム２１の固定部２１ｃ（より具体的にはローラー部２１ｃ２）が、一時固定手段２５のアーム固定溝２５ｃに入り込む。その後戸体１１の閉鎖動作が進むと共に、固定部２１ｃがアーム固定溝２５ｃの更に奥に入り、固定部２１ｃがアーム固定溝２５ｃに保持された状態となる。
【００５２】
アーム２１は付勢手段２３に付勢されているから、上記のように固定部２１ｃがアーム固定溝２５ｃに保持された状態のまま、アーム２１が待機位置Ｗから停止位置Ｓへ向かい回動していく。これに伴い、装置本体２ａが取り付けられた戸枠１２に引き寄せられるように戸体１１が移動して閉鎖される。そしてこの閉鎖動作中において、アーム２１の待機位置Ｗから停止位置Ｓへ至るまでの回動動作が、ダンパー２４の緩衝作用によって減速される。そのために戸体１１の移動も減速され、戸体１１の開口側端面１１ａが戸枠１２に設けられた戸当たり部材１２ａに対して急に衝突してしまうこともなく、静かに、かつ確実に閉鎖動作を行うことができる。また、このダンパー２４の存在により、アーム２１が急激に移動することがないため、戸枠１２に対して戸体１１がバウンドしてしまうこともない。
【００５３】
［アーム位置保持手段］
上記のようにアーム２１を待機位置Ｗに保つために、ケーシング２０にはアーム位置保持手段２７が設けられている。このアーム位置保持手段２７は、図６（Ａ）に示すようにアーム２１が待機位置Ｗにある時に、アーム位置保持手段２７の一部である係止部２７ａがアーム２１に取り付けられたストッパー部材２２の係止溝２２ａに引っ掛かる。これにより、停止位置Ｓへと回動させる方向に常時付勢されているアーム２１を、待機位置Ｗのまま保持することができる。
【００５４】
このアーム位置保持手段２７として、本例では略Ｌ字状に折り曲げられた板ばねが用いられており、図６（Ａ）（Ｂ）に示す下端側である基端側２７ｂがケーシング２０に固定されている。そして先端側が「Ｖ」の字状に折り曲げられて当接部２７ａとされている。板ばねのばね力により、この当接部２７ａがストッパー部材２２における係止溝２２ａを押さえつける。このアーム位置保持手段２７のストッパー部材２２への押圧は、戸体１１を閉じていくに伴い、図８に示すように、アーム２１の固定部２１ｃが一時固定手段２５の第１当接部２５ａに衝突することによってアーム２１が回動させられるまで継続する。この衝突によりアーム位置保持手段２７の上記引っ掛かりが外れ、その後、アーム２１は付勢手段２３の付勢を受けて停止位置Ｓへと回動していく。
【００５５】
アーム位置保持手段２７の形態は、アーム２１を待機位置Ｗに保持できるものであれば、本例のものに限定されるものではなく、種々に変更して実施し得る。例えば、樹脂などからなる弾性部材を当接させるものとしたり、ケーシング２０に対して回動可能に設けられた金具の先端に鈎爪を設けておき、この鈎爪でアーム２１を保持するものとしても良い。そして、平面の当接によるもの、または摩擦によるものや磁石を用いたものなど、付勢力を用いないものであっても良い。
【００５６】
また、付勢力を用いるものであっても、本例の板ばねのように、アーム２１を押圧するものに限られず、コイルばねなどを用いることにより、アーム２１を引っ張ってアーム２１を待機位置Ｗに保持できるものであっても良い。
【００５７】
また、本例のアーム位置保持手段２７のような個別の手段を用いず、アーム２１と付勢手段２３との位置関係でアーム２１を待機位置Ｗに保持するものとしても良い。例えば、回動軸２１ｂに対して付勢手段取付部２１ａ２が前方寄りにあるか後方寄りにあるかによって、付勢手段２３の付勢力によりアーム２１が待機位置Ｗで保持されるか、停止位置Ｓへと回動するかが決まる手段を取ることができる。この手段において、回動軸２１ｂに対して付勢手段取付部２１ａ２が前方寄りにある際には、アーム２１が待機位置Ｗで保持される。そして、アーム２１のローラー部２１ｃ２が一時固定手段２５における第１当接部２５ａに衝突することによってアーム２１が回動し、回動軸２１ｂに対して付勢手段取付部２１ａ２が後方寄りに移動すると、それに伴い、付勢手段２３の付勢力によりアーム２１が自動的に回動を開始する。
【００５８】
上記のようにして構成された装置本体２ａは、本例では図５（Ａ）（Ｂ）に示すように、戸枠１２に取り付けられる。より具体的には、戸枠１２のうちで戸体１１の上方に位置する部材の下面に、装置本体２ａにおける内部ケーシング２０１で囲まれた部分が下方から上方へと貫通するようにしてねじ固定がなされ（ねじの図示はしていない）、その内部ケーシング２０１を囲むようにして外部ケーシング２０２が取り付けられる。そして、装置本体２ａから突出するアーム２１が戸体１１に向くようにされる。戸枠１２には、戸体１１が閉鎖状態で当接する戸当たり部材１２ａが設けられているが、アーム２１がこの戸当たり部材１２ａと干渉しないようにして、装置本体２ａが取り付けられる。ただし、戸当たり部材１２ａの寸法により、アーム本体２１ａが干渉してしまうような場合は、装置本体２ａと戸枠１２の下面との間にスペーサーを挟んでやる必要がある。
【００５９】
［一時固定手段］
一時固定手段２５は、本例においては図５（Ａ）（Ｂ）に示すように、戸体１１の表面に、装置本体２ａに向かい合うようにして取り付けられる。取り付け位置は、一時固定手段２５におけるアーム固定溝２５ｃの出入口２５ｃ１が、装置本体２ａから突出するアーム２１の固定部２１ｃに一致する位置とする。このように戸体１１の表面に取り付けた構造とすることにより、一般顧客であっても比較的容易に取り付け作業ができる。ただし、デザイン性を重視し、一時固定手段２５を目立たなくする場合は、一時固定手段２５を戸体１１に埋め込むようにしても良い。
【００６０】
本例の一時固定手段２５は、図７（Ａ）に示すように、戸体取付部２５ｘと、その戸体取付部２５ｘにねじ止めによって取り付けられる溝部２５ｙとからなっている。そして、各部２５ｘ，２５ｙを覆う化粧カバー３が設けられている。
【００６１】
戸体取付部２５ｘは、図示左右両端に長孔２５ｄが形成されており、この長孔２５ｄを用いてねじ固定することによって、戸体１１に対し、水平方向の取り付け位置を調整することが可能である。よって、戸枠１２に取り付けられた装置本体２ａに対する位置合わせを比較的容易に行うことができる。
【００６２】
溝部２５ｙは、アーム固定溝２５ｃが形成された部材である。このアーム固定溝２５ｃは、溝部２５ｙにおいて表裏貫通して設けられている。そして、この溝部２５ｙは、上記の戸体取付部２５ｘに対して表向き、裏向きのいずれでも取り付けが可能である。これにより、アーム固定溝２５ｃにおける出入口２５ｃ１を、一時固定手段２５の左右いずれ側にも位置させることができる。なお、図７（Ａ）に示したのは出入口２５ｃ１が左側に位置する場合である。よって、一時固定手段２５においても上記の装置本体２ａと同様、対称形状（勝手違い）の個々のものを用意する必要がなく、部品の形状を共通化でき、流通コストを抑えることができて有利である。
【００６３】
アーム固定溝２５ｃは、本例では、戸体取付部２５ｘと溝部２５ｙとが組み合わされた状態において上部が開放されており、入口が湾曲し、奥側では戸体１１の表面と平行に形成された直線状の溝である。アーム２１の固定部２１ｃがアーム固定溝２５ｃ内を支障なく移動できるように、この溝の幅寸法（内寸）はローラー部２１ｃ２の径寸法よりもわずか大きめに形成されている。戸体１１の自動移動動作が行われる際においては、アーム固定溝２５ｃにアーム２１の固定部２１ｃが保持され、その状態で付勢手段２３の付勢を受けてアーム２１が回動し、これにより戸体１１が停止位置Ｓへと移動する。アーム固定溝２５ｃは、装置本体２ａから遠い側に位置する第１当接部２５ａと、装置本体２ａから近い側に位置する第２当接部２５ｂとを有している。本例では、第１当接部２５ａは溝部２５ｙに形成されており、第２当接部２５ｂは戸体取付部２５ｘに形成されている。
【００６４】
第１当接部２５ａは、戸体１１の閉鎖あるいは開放動作（本例では閉鎖動作）に伴いアーム２１の固定部２１ｃが衝突することにより、アーム２１の待機位置Ｗから停止位置Ｓへの回動を開始させるための部分である。
【００６５】
第２当接部２５ｂは、本例においては、付勢手段２３の付勢力によってアーム２１が待機位置Ｗから停止位置Ｓへと回動する際に、アーム２１の固定部２１ｃが当接し、これにより、一時固定手段２５を装置本体２ａに接近するように移動させるための部分である。なお、本例とは逆に装置本体２ａを戸体１１に取り付け、一時固定手段２５を戸枠１２に取り付けた場合にあっては、上記とは逆に装置本体２ａを一時固定手段２５に接近するように移動させることになる。
【００６６】
なお、アーム固定溝２５ｃのうち奥側、つまり、出入口２５ｃ１から遠い側に内部緩衝手段２９が設けられている。この内部緩衝手段２９は、図８〜図１０に示すように、アーム固定溝２５ｃにおけるアーム２１の固定部２１ｃが通過する部分のうち、停止位置Ｓにおける固定部２１ｃの位置よりも出入口２５ｃ１寄りの区間にかかるように設けられている。
【００６７】
この内部緩衝手段２９にアーム２１の固定部２１ｃが当接することにより、アーム固定溝２５ｃ内でのアーム２１の移動速度が減速される。そしてこの移動速度の減速は、アーム固定溝２５ｃ内で固定部２１ｃが通過する部分のうちで、出入口２５ｃ１から遠い側の一部区間にてなされる。本例ではこの減速は、戸体１１が閉鎖状態あるいは全開状態となるまで継続してなされる。なお、これに限らず断続的な減速であっても良い。
【００６８】
この内部緩衝手段２９は弾性体２９ａを備えている。本例ではこの弾性体２９ａとしてコイルばね（圧縮ばね）が用いられており、このばね２９ａの先端にアーム２１の固定部２１ｃが当接する。
【００６９】
内部緩衝手段２９としては、上記のコイルばねに限らず、例えば板ばねなどの種々の形態・材質のばね、ゴムブロックなどが使用できる。更には、弾性体に限らず、油圧ダンパー、ガス圧ダンパーなどの種々のダンパー、そして、アーム２１に対して摩擦により減速をなすものも使用できる。つまり、アーム固定溝２５ｃ内でのアーム２１の移動速度を減速できるものであれば、種々の材料を構成部材として使用できる。
【００７０】
本例の場合、ばね２９ａの先端にアーム２１の固定部２１ｃが当接し、ばね２９ａが圧縮され、このばね２９ａの圧縮により固定部２１ｃの移動速度が減速される。そのため、ダンパー２４の作動特性上、アーム２１の装置本体２ａに対する角度が小さくなって緩衝作用が落ちてしまったとしても、戸体１１の閉鎖動作、あるいは開放動作の最終段階において、アーム２１の移動速度の減速がこの内部緩衝手段２９によって補完される。これにより、戸体１１を戸枠１２の戸当たり部材１２ａにソフトに当てることができ、強く衝突して「バタン」と音を立ててしまい、戸体の周囲に居る者に不快感を与えてしまうようなことがなくなる。
【００７１】
化粧カバー３の側面には二箇所、開口部３１が設けられている。この開口部３１は、一時固定手段２５を覆う際に出入口２５ｃ１に一致する位置に設けられている。上記のようにアーム固定溝２５ｃにおける出入口２５ｃ１を左右いずれ側にも位置させることができるため、二箇所の開口部３１のうち出入口２５ｃ１に重ならない方には、蓋部材３ａを取り付けて閉じることができる。
【００７２】
本願発明は、上記に例示したように構成されるが、種々に形態を変更して実施が可能である。まず、戸体１１の閉鎖状態あるいは開放状態については、場合により種々に変更して設定が可能である。例えば、換気のためや、犬猫などのペットを通過可能とするため、閉鎖時においても全閉状態となるようにせず、所定の隙間を保ったまま閉鎖されるように設定しても良い。また、１枚の戸体１１に２つの戸体移動装置が用いられたものとしても良い。
【００７３】
また上記においては、装置本体２ａの長手方向を水平方向とした場合を示し、位置関係についてこれに即して説明したものであるが、装置本体２ａの長手方向を垂直方向とすることもできる。
【００７４】
また、上記においては、戸体の一端が支持されており、その一端を中心に回動するタイプである開き戸に戸体移動装置を適用した例について説明したが、本願発明の適用対象はこれに限定されるものではなく、戸枠１２に対して戸体１１が例えば水平方向（左右方向など）にスライドするタイプである引戸に適用しても良い。また、戸体を複数有しており、各戸体がヒンジで接続されており、各戸体を折り畳むことができるタイプである折戸に戸体移動装置を適用しても良い。
【符号の説明】
【００７５】
１１      戸体
１２      戸枠
２ａ      装置本体
２１      アーム
２１ａ    アーム本体
２１ａ１  取付部
２１ｂ    回動軸
２１ｃ    固定部
２３      付勢手段
２４      緩衝手段、ダンパー
２５      一時固定手段
２５ａ    一時固定手段の第１当接部
２５ｂ    一時固定手段の第２当接部
２５ｃ    アーム固定溝
Ｓ        アームの停止位置
Ｗ        アームの待機位置
【図１】
0005437723.tif 000002
【図２】
0005437723.tif 000003
【図３】
0005437723.tif 000004
【図４】
0005437723.tif 000005
【図５】
0005437723.tif 000006
【図６】
0005437723.tif 000007
【図７】
0005437723.tif 000008
【図８】
0005437723.tif 000009
【図９】
0005437723.tif 000010
【図１０】
0005437723.tif 000011